(57)【要約】【課題】  排泄物が押し潰されて圧縮され、吸収性物品内に拡散し、さらには排泄物が吸収性物品から漏れ出すことがない吸収性物品を提供する。【解決手段】  少なくとも肌当接面側に配置されるトップシートと、外面側に配置されるバックシートと、この両シート間に介在された吸収体とにより物品本体が構成され、互いに対向して物品本体の長手方向へ延びる両側縁部と、互いに対向して物品本体の幅方向へ延びる両端縁部とを有し、長手方向には前身頃と、後身頃と、前後身頃の間に位置する脚周り部とを有して成る吸収性物品において、トップシートと吸収体との間に筒状の耐圧縮層と、緩衝層とを設ける。【選択図】図３
2006116045.tif 000002
【特許請求の範囲】
【請求項１】
少なくとも肌当接面側に配置されるトップシートと、外面側に配置されるバックシートと、前記両シート間に介在された吸収体とにより物品本体が構成され、互いに対向して前記物品本体の長手方向へ延びる両側縁部と、互いに対向して前記物品本体の幅方向へ延びる両端縁部とを有し、前記長手方向には前身頃と、後身頃と、前記前後身頃の間に位置する脚周り部とを有して成る吸収性物品において、前記トップシートと前記吸収体との間に筒状の耐圧縮層と、緩衝層とを設けることを特徴とする吸収性物品。
【請求項２】
前記耐圧縮層は、少なくとも前記脚周り部と前記後身頃との間で、物品本体の幅方向の略中央部に設けられていることを特徴とする請求項１に記載の吸収性物品。
【請求項３】
前記吸収体には、前記耐圧縮層の中空部に対応する位置に、前記耐圧縮層の投影面の面積よりも小さな平面積を有する凹部が設けられていることを特徴とする請求項１又は請求項２に記載の吸収性物品。
【請求項４】
前記吸収体には、少なくとも前記脚周り部と前記後身頃との間で、前記吸収体の幅方向の略中央部に、前記耐圧縮層の投影面の面積と同じ大きさの平面積、あるいは前記耐圧縮層の投影面の面積よりも大きな平面積を有する凹部が設けられており、前記耐圧縮層が前記凹部の内部に設けられていることを特徴とする請求項１又は請求項２に記載の吸収性物品。
【請求項５】
前記耐圧縮層は、厚みが４ｍｍ以上、幅が５ｍｍ以上前記吸収体の幅以下であり、また耐圧縮層により形成される排泄物収容部の投影面の面積が１０００ｍｍ２以上であることを特徴とする請求項１ないし請求項４のいずれかに記載の吸収性物品。
【請求項６】
前記緩衝層は、前記耐圧縮層の肌当接面に設けられていることを特徴とする請求項１ないし請求項５のいずれかに記載の吸収性物品。
【請求項７】
前記緩衝層は、厚みが１ｍｍ以上であり、また少なくとも前記耐圧縮層の縁部の肌当接面を覆うことができる大きさであることを特徴とする請求項１ないし請求項６のいずれかに記載の吸収性物品。
【請求項８】
前記緩衝層の略中央部には切り込みが設けられていることを特徴とする請求項１ないし請求項７のいずれかに記載の吸収性物品。
【発明の詳細な説明】
【技術分野】
【０００１】
本発明は、使い捨て紙おむつ、尿取りパッド、生理用ナプキン等の吸収性物品に関し、さらに詳細には、排泄物が体圧により押し潰されて圧縮されることのない吸収性物品に関する。
【背景技術】
【０００２】
近年、吸収性物品は排泄物の吸収機能及び保持機能を高めるために種々の構成のものが提案されている。
【０００３】
例えば、特許文献１に示され、図１２に斜視図で、図１３に図１２のＸ−Ｘ断面図で示されるようなテープ式の紙おむつ１００は、通常、肌当接面側に配置され、不織布等から成るトップシート１０１と、外面側に配置され、ポリエチレン等のプラスチックシートや不織布、あるいはこれらの組み合わせから成るバックシート１０２と、これらの両シート１０１，１０２間に介在され、全体がティッシュ等の吸水紙１０３で被覆された吸収体１０４とにより、平面形状が砂時計形状に形成された紙おむつ本体１０５が構成されている。
【０００４】
また、このテープ式の紙おむつ１００は、おむつ本体１０５の長手方向（縦方向）に前身頃ＦＰ及び後身頃ＢＰと、これらの前後身頃ＦＰ，ＢＰの間に位置する脚周り部ＬＯとを有しており、脚周り部ＬＯのおむつ本体１０５の幅方向（横方向）の中央部であって、脚周り部ＬＯの後半分には、トップシート１０１と、バックシート１０２と、吸収体１０４とをおむつ本体１０５の厚み方向へ貫通させることによって、排泄物収容部１０６となる開孔１０７が形成されている。
【０００５】
また、バックシート１０２の外面には、開孔１０７を覆うように不透液性の被覆シート１０８が設けられており、さらにまた、被覆シート１０８の内面、すなわち排泄物収容部１０６側には吸水性内装シート１０９が設けられており、この内装シート１０９の両端部はバックシート１０２の外面と貼着されている。
【０００６】
このように構成された紙おむつ１００に、例えば軟便が排泄された場合、軟便が開孔１０７を通過して、排泄物収容部１０６に収容され、軟便に含まれる水分が内装シート１０９に吸収されるので、内装シート１０９上には軟便に含まれる固形分のみが残る。従って、軟便が高い流動性を維持したままの状態で排泄物収容部１０６に残存することがなくなるので、排泄物が開孔１０７から漏れ出し、トップシート１０１の上面を流動することを減少させることはできた。
【０００７】
しかし、上述した紙おむつ１００は、例えば着用者が寝る、座る等の動作をすることにより吸収体１０４に着用者の体重、すなわち体圧がかかった場合、吸収体１０４が体圧により押し潰されることによって、開孔１０７の周縁部１１０が潰れ、排泄物収容部１０６がなくなる。従って、排泄物が特に硬便である場合、排泄物が押し潰されて圧縮されてしまい、トップシート１０１上に拡散し、さらには紙おむつ１００から排泄物が漏れ出してしまい、着用者に不快感を与えていた。また、排泄物が着用者の皮膚に付着してしまうため、特に着用者が乳幼児である場合には、肌荒れの発生が深刻な問題であった。さらにまた、紙おむつ１００から排泄物が漏れ出した場合、被着用者の手を汚すことなく後処理をすることが難しいという問題もあった。
【特許文献１】特開２００３−２７５２４７号公報
【発明の開示】
【発明が解決しようとする課題】
【０００８】
本発明は、上述したような実情に鑑みてなされたものであり、その目的とするところは、排泄物が押し潰されて圧縮され、吸収性物品内に拡散し、さらには排泄物が吸収性物品から漏れ出すことがない吸収性物品を提供することである。
【課題を解決するための手段】
【０００９】
本発明の上記目的は、少なくとも肌当接面側に配置されるトップシートと、外面側に配置されるバックシートと、前記両シート間に介在された吸収体とにより物品本体が構成され、互いに対向して前記物品本体の長手方向へ延びる両側縁部と、互いに対向して前記物品本体の幅方向へ延びる両端縁部とを有し、前記長手方向には前身頃と、後身頃と、前記前後身頃の間に位置する脚周り部とを有して成る吸収性物品において、前記トップシートと前記吸収体との間に筒状の耐圧縮層と、緩衝層とを設けることを特徴とする吸収性物品を提供することによって、達成される。
【００１０】
また、本発明の上記目的は、前記耐圧縮層は、少なくとも前記脚周り部と前記後身頃との間で、物品本体の幅方向の略中央部に設けられていることを特徴とする吸収性物品を提供することによって、効果的に達成される。
【００１１】
また、本発明の上記目的は、前記吸収体には、前記耐圧縮層の中空部に対応する位置に、前記耐圧縮層の投影面の面積よりも小さな平面積を有する凹部が設けられていることを特徴とする吸収性物品を提供することによって、より効果的に達成される。
【００１２】
また、本発明の上記目的は、前記吸収体には、少なくとも前記脚周り部と前記後身頃との間で、前記吸収体の幅方向の略中央部に、前記耐圧縮層の投影面の面積と同じ大きさの平面積、あるいは前記耐圧縮層の投影面の面積よりも大きな平面積を有する凹部が設けられており、前記耐圧縮層が前記凹部の内部に設けられていることを特徴とする吸収性物品を提供することによって、効果的に達成される。
【００１３】
また、本発明の上記目的は、前記耐圧縮層は、厚みが４ｍｍ以上、幅が５ｍｍ以上前記吸収体の幅以下であり、また耐圧縮層により形成される排泄物収容部の投影面の面積が１０００ｍｍ２以上であることを特徴とする吸収性物品を提供することによって、より効果的に達成される。
【００１４】
また、本発明の上記目的は、前記緩衝層は、前記耐圧縮層の肌当接面に設けられていることを特徴とする吸収性物品を提供することによって、より効果的に達成される。
【００１５】
また、本発明の上記目的は、前記緩衝層は、厚みが１ｍｍ以上であり、また少なくとも前記耐圧縮層の縁部の肌当接面を覆うことができる大きさであることを特徴とする吸収性物品を提供することによって、より効果的に達成される。
【００１６】
さらにまた、本発明の上記目的は、前記緩衝層の略中央部に切り込みが設けられていることを特徴とする吸収性物品を提供することによって、より一層効果的に達成される。
【発明の効果】
【００１７】
本発明に係る吸収性物品によれば、トップシートと吸収体との間に体圧がかかっても押し潰されることがない筒状の耐圧縮層を設けることによって、排泄物収容部が耐圧縮層の中空部により形成される。従って、耐圧縮層に体圧がかかっても排泄物収容部を維持することができるので、排泄物収容部内に収容された排泄物が体圧により押し潰されて圧縮され、トップシート上に逆戻りして拡散し、さらには吸収性物品から排泄物が漏れ出すことを防止することができる。この結果、着用者に不快感を与えることがなく、良好な着用感を与えることができ、また、排泄物が着用者の皮膚に付着することがなくなるので、肌荒れの発生を防止することもできる。さらにまた、排泄物が吸収性物品から漏れ出すことを防止することができるので、被着用者にとって吸収性物品の後処理が簡単になる。
【００１８】
吸収体の耐圧縮層の中空部に対応する位置に凹部を設けることによって、排泄物収容部の厚みを厚くすることができ、排泄物収容部内に収容され、保持されている排泄物から着用者の皮膚までの距離をより長くすることができるので、着用者の皮膚に排泄物が付着することを防止することができ、この結果、排泄物が体圧により押し潰されて圧縮されることを防止すると共に、肌荒れの発生を防止することができる。また、排泄物収容部の体積を増加させることができるので、排泄物が排泄物収容部から溢れ出すことを防止することができる。
【００１９】
また、耐圧縮層の肌当接面に緩衝層を設けることによって、吸収性物品の着用感を向上させることができる。
【００２０】
さらにまた、緩衝層に切り込みを形成することによって、排泄物をスムーズに排泄物収容部内に移行させ、保持することができる。
【発明を実施するための最良の形態】
【００２１】
以下、本発明に係る吸収性物品について、吸収性物品がパンツ型の紙おむつである場合を例に図面を参照しながら詳細に説明する。なお、本発明は必ずしも以下の実施形態に限定されるものではなく、特許請求の範囲を逸脱しない範囲において、その構成を適宜変更できるものであることはいうまでもない。
【００２２】
図１は、本発明の第１実施形態に係るパンツ型の紙おむつ（以下、「本紙おむつ」と言う。）１０の使用状態を示す斜視図であり、図２は、図１の紙おむつ１０を展開し、肌当接面側から見た場合の幅方向の断面図である。なお、本紙おむつ１０は後述するように、トップシートと吸収体との間に耐圧縮層と緩衝層とを設けたことを除くその他の構成については前述した従来の紙おむつ１００と実質的に同様である。
【００２３】
本紙おむつ１０は、前述した従来の紙おむつ１００と同様に、肌当接面側に配置されるトップシート１１と、非肌当接面側（外面側）に配置されるバックシート１２と、これらの両シート１１，１２間に介在され、クレープ紙等の吸水紙１３で全体が被覆されている吸収体１４とにより、平面形状が略砂時計形状に形成されたおむつ本体１５が構成されており、また、本紙おむつ１０は互いに対向しておむつ本体１５の長手方向へ延びる両側縁部１０ＳＦと、互いに対向しておむつ本体１５の幅方向へ延びる両端縁部１０ＥＦとを有しており、さらにまた、おむつ本体１５の長手方向には前身頃１０ＦＰと、後身頃１０ＢＰと、この前後身頃１０ＦＰ，１０ＢＰの間に位置する脚周り部１０ＬＯとを有している。
【００２４】
なお、本紙おむつ１０には、図２に示されるように、バックシート１２と吸収体１４との間に防水フィルム１６が配設され、またトップシート１１と吸収体１４との間にセカンドシート１７が配設されているが、この防水フィルム１６及びセカンドシート１７は必要に応じ、適宜省略することもできる。
【００２５】
なお、本紙おむつ１０で用いられるトップシート１１は、排泄物を吸収体１４へ透過させるシートであって、肌着に近い感触を有し、きめが細かく繊維密度が高い素材、例えば有孔又は無孔の不織布や多孔性のプラスチックシート等が好適に用いられるが、必ずしもこれらの素材に限定されるものではなく、公知の種々のものを使用することができる。なお、トップシート１１に多数の透孔を形成すると、排泄物が吸収体１４に、より速やかに吸収されるようになり、ドライタッチ性に優れたものとなる。
【００２６】
バックシート１２には透明ないし半透明のポリエチレン、ポリプロピレン等のシート材が用いられるが、この他にポリエチレンシート等の不織布を積層したラミネート不織布や、さらには後述する防水フィルムを介在させて実質的に不透液性を確保した上で不織布シート（この場合には、防水フィルムと不織布とでバックシート１２を構成する。）等を用いることができる。なお、バックシート１２は不透液性であることが好ましい。また、近年はムレ防止の観点から、透湿性を有するものが好適に用いられる傾向にある。
【００２７】
吸収体１４は排泄物を吸収、保持し得るものであれば良く、通常、綿状パルプを主体とし、これに超吸収性ポリマー（ＳＡＰ）を混在させたものが使用されるが、この他、綿状パルプのみから成るもの、ＳＡＰシート、エアレイド不織布（エアレイドとＳＡＰ）等、公知の種々のものを使用することができる。また、図２に示されるように吸収体１４をティッシュ等の吸水紙１３で被覆すると、吸水紙１３によって排泄物を速やかに吸収体１４に拡散させて、排泄物がトップシート１１へ逆戻りすることを防止することができる。なお、この吸水紙１３は適宜省略することもできる。
【００２８】
また、吸収体１４の長手方向の１辺の長さｌは少なくとも３０ｍｍ以上であることが吸収機能を果たす上で好ましい。
【００２９】
防水フィルム１６は、排泄物の漏れ防止及びムレ防止の観点から、遮水性と透湿性とを有する材料、例えばポリエチレンやポリプロピレン等のオレフィン樹脂中に無機充填材を溶融混練してシート状に形成した後、一軸または二軸方向に延伸することにより得られる微多孔性シート等が好ましく用いられる。また、不織布等の基材にアクリル樹脂やポリウレタン樹脂等を直接コーティングしたものを用いても良い。
【００３０】
セカンドシート１７は、繊維密度がトップシート１１の繊維密度よりも小さいものが好ましく使用される。また、セカンドシート１７は着用者の皮膚に直接接触しないので、短繊維不織布から成るものを用いることもできる。さらに、セカンドシート１７として、メッシュ状のフィルムや孔開き不織布等も用いることができ、また、保水性繊維を含むものであっても良い。さらにまた、セカンドシート１７に親水剤を添加することもできる。
【００３１】
図３は、本紙おむつ１０に使用される吸収体１４、耐圧縮層１８、及び緩衝層１９の組立図であり、図４は組立後の吸収体１４の斜視図である。図示されるように、本紙おむつ１０は、セカンドシート１７（セカンドシート１７を省略する場合には、トップシート１１）と吸収体１４との間、すなわち吸収体１４の肌当接面上で、少なくとも脚周り部１０ＬＯと後身頃１０ＢＰとの間で、さらにおむつ本体１５の幅方向の略中央部に、筒状の耐圧縮層１８が設けられており、また耐圧縮層１８の肌当接面には、耐圧縮層１８の縁部２０の肌当接面を覆うように緩衝層１９が設けられている。
【００３２】
耐圧縮層１８とは、筒状に形成されており、着用者の体重（体圧）がかかっても押し潰されることがなく、筒の中空部２１を維持することができる層である。
【００３３】
この耐圧縮層１８の形成材料としては、体圧に耐え得る材料、例えば熱可塑性繊維の構造体（エアレイド不織布）、合成樹脂製の発泡体、気泡性の軟質ウレタンスポンジ等の公知の種々の材料を使用することができる。
【００３４】
耐圧縮層１８は、上述したように筒状に形成されているので、吸収体１４の肌当接面に設けられると、耐圧縮層１８の中空部２１によって排泄物を収容し、保持する排泄物収容部２２を形成することができる。
【００３５】
また、この耐圧縮層１８が、おむつ本体１５の少なくとも脚周り部１０ＬＯと後身頃１０ＢＰとの間の位置に設けられると、本紙おむつ１０の着用時に、排泄物収容部２２の略中央部に着用者の肛門が位置するので、軟便や硬便の排泄物は、確実に排泄物収容部２２に移行することができる。従って、着用者の皮膚に排泄物が付着することがなくなるので肌荒れを防止することができる。なお、排泄物の尿等の水分は、従来の紙おむつ１００と同様に、吸収体１４に吸収されて保持される。
【００３６】
また、耐圧縮層１８は、耐圧縮層１８の中空部２１を維持することができる、すなわち排泄物収容部２２が着用者の体圧により押し潰されることがないので、排泄物収容部２２に収容された排泄物が押し潰されて圧縮され、トップシート１１上に拡散することを防止することができる。従って、着用者に快適な着用感を与えることができると共に、排泄物が着用者の皮膚に付着することをより防止することができる。また、排泄物が紙おむつ１０から漏れ出すことを防止することもできるので、被着用者にとっては紙おむつ１０の後処理が簡単になる。
【００３７】
耐圧縮層１８は、厚みｄ１が少なくとも４ｍｍ以上、好ましくは１０〜２５ｍｍ、幅（おむつ本体１５の幅方向の長さ）ｗが５ｍｍ以上吸収体１４の幅以下、好ましくは５０〜１３０ｍｍである。このような厚みｄ１及び幅ｗを有する耐圧縮層１８であると、体圧により耐えることができ、耐圧縮層１８が押し潰されることをより防止することができる。
【００３８】
また、耐圧縮層１８を上方から見た場合（図３中、矢印Ａ側から見た場合）における耐圧縮層１８の中空部２１により形成される排泄物収容部２２の投影面（図３中、点線円にて示す部分）２３の面積が１０００ｍｍ２以上であると、十分な大きさの排泄物収容部２２を形成することができるので、排泄物が多量に排泄されても、排泄物が排泄物収容部２２から溢れ出し、トップシート１１上に排泄物が拡散し、さらには紙おむつ１０から漏れ出すことを防止することができる。
【００３９】
なお、排泄物収容部２２の投影面２３の形状は、図３及び図４に示されるような円状に限定されるものではなく、投影面２３の面積が１０００ｍｍ２以上であれば、この他、星型、四角形、三角形、動物の形状等の公知の種々の形状とすることができる。
【００４０】
また、耐圧縮層１８は筒状に形成されていれば、図３及び図４に示されるような円筒状に限定されるものではなく、この他、耐圧縮層１８を上方から見た場合における投影面２３′の形状が星型や、四角形、三角形、動物の形状等の公知の種々の形状とすることができる。
【００４１】
さらにまた、排泄物収容部２２の投影面２３と耐圧縮層１８の投影面２３′との形状は、必ずしも同一の形状である必要はなく、例えば、排泄物収容部２２の投影面２３の形状は星型で、耐圧縮層１８の投影面２３′の形状は四角形のように異なる形状であっても良い。
【００４２】
耐圧縮層１８は、上述したように体圧がかかっても押し潰されることがないようにある程度の硬度を有する素材で形成されているので、耐圧縮層１８が着用者の皮膚に当接してしまうと、着用感が悪くなり、また着用者の皮膚を傷つけてしまうおそれもある。従って、本紙おむつ１０は、耐圧縮層１８の肌当接面に、クッション性を有する緩衝層１９を設け、耐圧縮層１８による衝撃を和らげることによって、着用感を向上させている。
【００４３】
この緩衝層１９の形成材料は、スポンジや、スポンジゴム等のクッション性を有し、耐圧縮層１８の衝撃を和らげることができる資材であれば特に限定されるものではなく、例えば不織布、開孔プラスティックフィルム、その他の開孔された合成樹脂等、着用感を向上させることができる公知の種々のものを使用することができる。また、このような材料で形成された緩衝層１９をさらに不織布や、ラミネート不織布等で被覆すると、着用感をより一層向上させることができる。
【００４４】
緩衝層１９は、上述したようにスポンジ等の資材で形成されているため、通水性には優れているが、便等の固形物の通過性は悪く、排泄物が排泄物収容部２２に移行し難い。すなわち、排泄物の固形物が緩衝層１９の肌当接面上に残ってしまい、この結果、排泄物がトップシート１１上に逆戻りし、拡散してしまう。
【００４５】
そこで、図示するように、緩衝層１９の略中央部に切り込み２４を設ける。これにより、排泄物は切り込み２４を介して排泄物収容部２２にスムーズに移行することができる。従って、排泄物が体圧により押し潰され、トップシート１１上に逆戻りすることを防止することができる。
【００４６】
緩衝層１９の厚みｄ２は、少なくとも１ｍｍ以上、好ましくは３〜１５ｍｍである。厚みｄ２が１ｍｍ未満であると、緩衝層１９の有するクッション効果が得られず、着用感を低下させてしまう。一方、緩衝層１９の厚みｄ２が厚すぎると、排泄物が排泄物収容部２２へ移行することを妨げてしまう。
【００４７】
また、緩衝層１９の大きさは、図示するように耐圧縮層１８と同じ大きさでなくても良く、少なくとも耐圧縮層１８の縁部２０の肌当接面を覆うことができる大きさであれば、耐圧縮層１８が着用者に当接することがないので着用感を向上させることができる。
【００４８】
なお、緩衝層１９の投影面の形状についても、特に限定されるものではないので、少なくとも耐圧縮層１８の縁部２０の肌当接面を覆うことができる形状であれば図３及び図４に示されるような円形状に限らず、この他、例えば四角形、三角形、動物の形状、星型、十字型等の公知の種々の形状とすることができる。
【００４９】
また、図３及び図４に示すように、必ずしも耐圧縮層１８と緩衝層１９との投影面の形状を同一形状にする必要はなく、耐圧縮層１８の縁部２０の肌当接面が緩衝層１９で覆われていれば、例えば耐圧縮層１８の投影面２３′の形状が四角形で、緩衝層１９の投影面の形状が円形状のように両者が異なる投影面の形状であっても良い。
【００５０】
また、図２に示すように、トップシート１１及びセカンドシート１７に切れ目２５が、緩衝層１９に設けられた切り込み２４の位置と対応する位置に形成されていると、排泄物がスムーズかつ確実に排泄物収容部２２に移行することができるようになり、排泄物がトップシート１１上に滞留することがなくなる。従って、着用感をより向上させることができると共に、排泄物が紙おむつ１０から漏れ出すことを効果的に防止することができる。なお、切れ目２５の形状は直線に限らず、この他、例えば波線や十字型等の種々の形状とすることができる。
【００５１】
なお、上述したような本紙おむつ１０は、従来の吸収性物品１００と同様に、通常、バックシート１２上に防水フィルム１６、吸収体１４、耐圧縮層１８、緩衝層１９、セカンドシート１７、及びトップシート１１を順に積層して製造される。
【００５２】
従って、あらかじめ切り込み２４が形成された緩衝層１９、及び切れ目２５が形成されたトップシート１１とセカンドシート１７とを積層して本紙おむつ１０を製造することもできるが、上述した構成物品を全て積層し、接着した後に、トップシート１１の上から緩衝層１９に対応する位置に切り込み２４及び切れ目２５を形成して本紙おむつ１０を製造することもできる。
【００５３】
また、耐圧縮層１８及び緩衝層１９の接着には、ホットメルト接着剤等の接着剤、粘着剤、熱融着による接合等、公知の種々の手段で耐圧縮層１８を吸収体１４の上面に接着でき、また緩衝層１９を耐圧縮層１８及びセカンドシート１７に接着することができる。
【００５４】
図５は、上述した第１実施形態に係る紙おむつ１０の変更例に係る紙おむつに使用される吸収体１４′、耐圧縮層１８、及び緩衝層１９′の組立図であり、図６は図５に示す吸収体１４′を使用した紙おむつ１０の幅方向の断面図である。なお、本変更例に係る吸収体１４′は、緩衝層１９に形成される切り込み２４′の形状を除くその他の構成については、上述した第１実施形態に係る紙おむつ１０と実質的に同一なものであるので、以下では対応する構成要素には同一の符号を付して説明する。
【００５５】
図示されるように、切り込み２４′の平面形状を円形状とし、緩衝層１９′に開孔が設けられると、排泄物をよりスムーズに排泄物収容部２２に移行させることができる。なお、この切り込み２４′の平面形状は、少なくとも耐圧縮層１８の縁部２０の肌当接面を覆うことができれば、図５に示されるような円形状に限らず、この他、例えば四角形、三角形、星型、十字型等公知の種々の形状とすることができる。
【００５６】
以上、本発明に係る吸収性物品を一実施形態に基づき説明したが、本発明はその構成を以下のように変更することができる。
【００５７】
図７は、本発明の第２実施形態に係る紙おむつに使用される吸収体１４Ａ、耐圧縮層１８、及び緩衝層１９の組立図であり、図８は図７に示す吸収体１４Ａを使用した紙おむつ１０の幅方向の断面図である。なお、本実施形態に係る紙おむつは、吸収体１４Ａの構造を除くその他の構成は、前述した第１実施形態に係る紙おむつ１０と実質的に同一なものであるので、以下では対応する構成要素には同一の符号を付して説明する。
【００５８】
図示するように、本実施形態に係る紙おむつは、第１実施形態に係る紙おむつと同様に、吸収体１４Ａの肌当接面上で、少なくとも脚周り部１０ＬＯと後身頃１０ＢＰとの間で、さらにおむつ本体１５の幅方向の略中央部に、筒状の耐圧縮層１８が設けられており、また耐圧縮層１８の肌当接面には、耐圧縮層１８の縁部２０の肌当接面を覆うように、切り込み２４が形成されている緩衝層１９が設けられている。上述した第１実施形態と異なる点は、吸収体１４Ａには、耐圧縮層１８の中空部２０に対応する位置に、耐圧縮層１８の投影面２３′の面積よりも小さな平面積を有する凹部２６が設けられている点である。
【００５９】
このように吸収体１４Ａの耐圧縮層１８の中空部２０に対応する位置に、耐圧縮層１８の投影面２３′の面積よりも小さな平面積を有する凹部２６が設けられていると、耐圧縮層１８の中空部２０と凹部２６とによって排泄物収容部２２が形成されるので、排泄物収容部２２の厚みｄ３は、耐圧縮層１８の厚みｄ１と、凹部２６の厚み（深さ）ｄ４とを合計した厚みとなる。従って、着用者の皮膚と排泄物収容部２２内に保持されている排泄物との間の距離が長くなるので、排泄物が着用者の皮膚に付着することをより防止することができ、この結果、排泄物が体圧により押し潰されて圧縮されることを防止することができると共に、肌荒れの発生をより防止することができる。
【００６０】
また、排泄物収容部２２の厚みｄ４を厚くすることによって、排泄物収容部２２の体積を増加させることができる。従って、より多くの排泄物を収容し、保持することができると共に、排泄物が排泄物収容部２２から溢れ出すことを防止することができる。さらにまた、吸収体１４の凹部２６の周縁部からも排泄物の水分を吸収することができるので、排泄物が特に軟便である場合、軟便を素早く水分と流動性の低い固形物とに分離し、固形物のみを排泄物収容部２２内に収容し、保持することができるので、排泄物が流動してトップシート１１上に逆戻りすることを防止することができ、着用者の快適な着用感を与えることができる。
【００６１】
また、耐圧縮層１８の厚みｄ１を薄くしても、排泄物収容部２２の厚みｄ４を維持することができるので、紙おむつ１０の肌当接面を略平坦にすることができる。従って、紙おむつ１０の着用感をより向上させることができる。さらにまた、耐圧縮層１８の厚みｄ１を薄くし、凹部２６の厚み（深さ）ｄ４を厚くする等、排泄物収容部２２の厚みｄ３をニーズに応じて適宜調節することが容易となる。
【００６２】
なお、凹部２６の平面形状は、図７に示すような円形状に限らず、耐圧縮層１８の投影面２３′の面積よりも小さな平面積を有していれば、この他、例えば四角形状、楕円形状、三角形状、六角形状、星型等の公知の種々の平面形状とすることができる。また、凹部２６の平面形状は、図７に示すように耐圧縮層１８や緩衝層１９の投影面の形状と必ずしも同一形状である必要はなく、本発明の範囲を逸脱しない範囲において、例えば耐圧縮層１８の投影面２３′の形状は円形状、緩衝層１９の投影面の形状は四角形状、吸収体１４Ａの凹部２６の平面形状は星型にする等、異なる形状であっても良い。
【００６３】
さらにまた、本発明に係る吸収性物品は、その構成を以下のように変更することもできる。
【００６４】
図９は、本発明の第３実施形態に係る紙おむつに使用される吸収体１４Ｂ、耐圧縮層１８、及び緩衝層１９の組立図であり、図１０は図９に示す吸収体１４Ｂの組立後の斜視図であり、図１１は、図９及び図１０に示す吸収体１４Ｂを使用した紙おむつ１０の幅方向の断面図である。なお、本実施形態に係る紙おむつは、吸収体１４Ｂの構造を除くその他の構成は、前述した第１実施形態及び第２実施形態に係る紙おむつ１０と実質的に同一であるので、以下では対応する構成要素には同一の符号を付して説明する。
【００６５】
本実施形態に係る吸収体１４Ｂは、図９ないし図１１に示すように、上述した第２実施形態に係る紙おむつ１０と同様に、吸収体の肌当接面上で、少なくとも脚周り部１０ＬＯと後身頃１０ＢＰとの間で、さらにおむつ本体１５の幅方向の略中央部に、筒状の耐圧縮層１８が設けられており、また耐圧縮層１８の肌当接面には、耐圧縮層１８の縁部２０の肌当接面を覆うように、切り込み２４が形成されている緩衝層１９が設けられている。また、上述した第２実施形態に係る吸収体１４Ａと同様に、吸収体１４Ｂには、耐圧縮層１８の中空部２１に対応する位置に凹部２６Ｂが設けられているが、第２実施形態と異なる点は、凹部１６Ｂの平面積が、耐圧縮層１８の投影面２３′の面積と同じ大きさの面積、あるいは耐圧縮層１８の投影面２３′の面積よりも大きな面積であるという点である。
【００６６】
このように吸収体１４Ｂに設けられる凹部２６Ｂの平面積が、耐圧縮層１８の投影面の面積と同じ大きさの面積、あるいは耐圧縮層１８の投影面の面積よりも大きな面積であると、耐圧縮層１８を凹部２６Ｂの内部に設けることができる、すなわち吸収体１４Ｂの凹部２６Ｂを耐圧縮層１８で埋めることができ、耐圧縮層１８の中空部２１によって形成される排泄物収容部２２が吸収体１４Ｂの内部に形成される。従って、図１０及び図１１に示すように、紙おむつ１０の肌当接面を平坦に形成することができるので、着用感をより向上させることができる。
【００６７】
また、排泄物収容部２２が吸収体１４Ｂの内部に形成されても、排泄物収容部２２は耐圧縮層１８で構成されているため、吸収体１４Ｂに着用者の体圧がかかっても押し潰されることがなく、排泄物収容部２２内に収容され、保持されている排泄物を押し潰して圧縮することがない。従って、排泄物がトップシート１１上に逆戻りし、拡散することを防止することができ、また紙おむつ１０から排泄物が漏れ出すことを防止することができる。
【００６８】
なお、図１０及び図１１に示すように、耐圧縮層１８及び緩衝層１９を吸収体１４Ｂの凹部２６Ｂ内に設け、吸収体１４Ｂの肌当接面が平坦な面となるように形成しても良いが、この他、図示しないが、耐圧縮層１８を吸収体１４Ｂの凹部２６Ｂ内に設け、緩衝層１９は吸収体１４Ｂの肌当接面から突出するように設けても良い。
【産業上の利用可能性】
【００６９】
本発明は、上述したようなパンツ型の紙おむつに限らず、この他テープ式の紙おむつ、失禁者用パッド等公知の種々の吸収性物品についても適用できる。
【図面の簡単な説明】
【００７０】
【図１】本発明に係るパンツ型の紙おむつの斜視図である。
【図２】図１を展開して上面から見た図の幅方向の断面図である。
【図３】第１実施形態に係る吸収体、耐圧縮層、及び緩衝層の組立図である。
【図４】図３に示す吸収体の組立後の拡大斜視図である。
【図５】第１実施形態の変更例に係る吸収体の組立図である。
【図６】図５に示す吸収体を使用した紙おむつの幅方向断面図である。
【図７】第２実施形態に係る吸収体、耐圧縮層、及び緩衝層の組立図である。
【図８】図７に示す吸収体を使用した紙おむつの幅方向断面図である。
【図９】第３実施形態に係る吸収体、耐圧縮層、及び緩衝層の組立図である。
【図１０】図９に示す吸収体の組立後の拡大斜視図である。
【図１１】図９及び図１０に示す吸収体を使用した紙おむつの幅方向の断面図である。
【図１２】従来の吸収性物品であるテープ式の紙おむつの斜視図である。
【図１３】図１２のＸ−Ｘ断面図である。
【符号の説明】
【００７１】
１０，１００                        紙おむつ
１１，１０１                        トップシート
１２，１０２                        バックシート
１４，１４Ａ，１４Ｂ，１０４        吸収体
１５，１０５                        おむつ本体
１８                                耐圧縮層
１９                                緩衝層
２０                                耐圧縮層の縁部
２１                                耐圧縮層の中空部
２２                                排泄物収容部
２４                                切り込み
２６．２６Ｂ                        凹部
１０７                              開孔
１０８                              被覆シート
１０９                              内装シート
１１０                              開孔の周縁部
【図１】
2006116045.tif 000003
【図２】
2006116045.tif 000004
【図３】
2006116045.tif 000005
【図４】
2006116045.tif 000006
【図５】
2006116045.tif 000007
【図６】
2006116045.tif 000008
【図７】
2006116045.tif 000009
【図８】
2006116045.tif 000010
【図９】
2006116045.tif 000011
【図１０】
2006116045.tif 000012
【図１１】
2006116045.tif 000013
【図１２】
2006116045.tif 000014
【図１３】
2006116045.tif 000015